(57)【要約】【課題】燃焼排気の潜熱を熱交換する熱交換器を備え、給湯機能と浴槽追焚機能を有する給湯装置のドレン処理に関し、ドレン処理能力を高め、浴槽へのドレンの排出を抑制するとともに、ドレン処理能力に応じてドレン発生の抑制させることにある。【解決手段】燃焼排気の潜熱を熱交換する熱交換器１４を備え、給湯機能と浴槽追焚機能を有する給湯装置であって、前記熱交換により発生したドレン４を溜める第１のドレンタンク６と、前記第１のドレンタンクから前記ドレンを受けて溜める第２のドレンタンク８と、浴槽水のレベルを検出する浴槽レベルセンサ（ふろ水位センサ７６）と、前記浴槽レベルセンサで検出された前記レベルに基づいて、前記第１のドレンタンク及び／又は前記第２のドレンタンクの前記ドレンを追焚管路の一部又は全部を通して浴槽側に排出させる排出手段とを備える構成である。【選択図】        図１
2008128531.tif 000002
【特許請求の範囲】
【請求項１】
燃焼排気の潜熱を熱交換する熱交換器を備え、給湯機能と浴槽追焚機能を有する給湯装置であって、
前記熱交換により発生したドレンを溜める第１のドレンタンクと、
前記第１のドレンタンクから前記ドレンを受けて溜める第２のドレンタンクと、
浴槽水のレベルを検出する浴槽レベルセンサと、
前記浴槽レベルセンサで検出された前記レベルに基づいて、前記第１のドレンタンク及び／又は前記第２のドレンタンクの前記ドレンを追焚管路の一部又は全部を通して浴槽側に排出させる排出手段と、
を備えることを特徴とする給湯装置。
【請求項２】
請求項１記載の給湯装置において、
前記ドレンのレベルを検出するドレンレベルセンサと、
前記ドレンレベルセンサで検出された前記レベルに応じて、前記第１のドレンタンクから前記第２のドレンタンクに追焚管路の一部又は全部を通して前記ドレンを移送する移送手段と、
を備えることを特徴とする給湯装置。
【請求項３】
請求項１又は２記載の給湯装置において、
前記第１のドレンタンク及び／又は前記第２のドレンタンクの前記ドレンが所定レベルに達した場合に、前記ドレンの発生を抑制するドレン発生抑制手段を備えたことを特徴とする給湯装置。
【請求項４】
請求項１又は２記載の給湯装置において、
前記第１のドレンタンク内の前記ドレンを希釈水で希釈する希釈手段を備え、
前記希釈手段は、前記ドレンの前記レベルに応じて前記ドレンに前記希釈水を供給することを特徴とする給湯装置。
【請求項５】
請求項１又は２記載の給湯装置において、
前記第１のドレンタンク及び／又は前記第２のドレンタンクに溜まった前記ドレンが所定レベルに達した場合に、前記浴槽へと前記ドレンを強制排出することを特徴とする給湯装置。
【請求項６】
燃焼排気の潜熱を熱交換する熱交換器を備え、給湯機能と浴槽追焚機能を有する給湯装置のドレン処理方法であって、
前記熱交換により発生したドレンを第１のドレンタンクに溜める処理と、
前記第１のドレンタンクから前記ドレンを受けて第２のドレンタンクに溜める処理と、
浴槽水のレベルを検出する処理と、
前記検出レベルに基づいて、前記第１のドレンタンク及び／又は前記第２のドレンタンクの前記ドレンを追焚管路の一部又は全部を通して浴槽側に排出させる処理と、
を含むことを特徴とする給湯装置のドレン処理方法。
【請求項７】
請求項６記載の給湯装置のドレン処理方法において、
前記ドレンのレベルを検出する処理と、
前記検出レベルに応じて、前記第１のドレンタンクから前記第２のドレンタンクに追焚管路の一部又は全部を通して前記ドレンを移送する処理と、
を含むことを特徴とする給湯装置のドレン処理方法。
【請求項８】
請求項６又は７記載の給湯装置のドレン処理方法において、
前記第１のドレンタンク及び／又は前記第２のドレンタンクに溜まった前記ドレンが所定レベルに達した場合には、前記ドレンの発生を抑制する処理を含むことを特徴とする給湯装置のドレン処理方法。
【請求項９】
請求項６又は７記載の給湯装置のドレン処理方法において、
前記第１のドレンタンク及び／又は前記第２のドレンタンクの前記ドレンが所定レベルに達した場合には、前記ドレンを強制排出する処理を含むことを特徴とする給湯装置のドレン処理方法。
【請求項１０】
コンピュータによって実行され、燃焼排気の潜熱を熱交換する熱交換器を備え、給湯機能と浴槽追焚機能を有する給湯装置のドレン処理プログラムであって、
浴槽水の検出レベルを取り込むステップと、
前記検出レベルに基づいて、第１のドレンタンク及び／又は第２のドレンタンクのドレンを追焚管路の一部又は全部を通して浴槽側への排出を指示するステップと、
を含むことを特徴とする給湯装置のドレン処理プログラム。
【請求項１１】
請求項１０記載の給湯装置のドレン処理プログラムにおいて、
前記第１のドレンタンク及び／又は前記第２のドレンタンクの前記ドレンが所定レベルに達した場合には、前記ドレンを強制排出させる指示をするステップを含むことを特徴とする給湯装置のドレン処理プログラム。
【請求項１２】
燃焼排気の潜熱を熱交換する熱交換器を備え、給湯機能と浴槽追焚機能を有する給湯装置であって、
前記熱交換器に供給される水をバイパスさせるバイパス管路と、
前記熱交換器と前記バイパス管路とに流れる前記水の流量を調整する流量調整手段と、を備え、
前記流量調整手段により前記熱交換器に流れる前記水を調整し、前記熱交換器に発生する前記ドレンを抑制させることを特徴とする給湯装置。
【請求項１３】
請求項１２記載の給湯装置において、
前記熱交換により発生したドレンを溜めるドレンタンクと、
前記ドレンタンクの前記ドレンのレベルを検出するドレンレベルセンサと、
前記ドレンレベルセンサの検出レベルに応じて前記流量調整手段により前記熱交換器に流れる前記水を調整し、前記熱交換器に発生する前記ドレンを抑制させることを特徴とする給湯装置。
【請求項１４】
請求項１２記載の給湯装置において、
前記流量調整手段は、前記バイパス管路と前記熱交換器とに流れる水の流量比を調整する三方弁であることを特徴とする給湯装置。
【発明の詳細な説明】
【技術分野】
【０００１】
本発明は、燃焼排気の潜熱を熱交換する熱交換器を備え、給湯機能と浴槽追焚機能を有する給湯装置のドレン処理に関し、浴槽を利用してドレンを排出させる給湯装置、そのドレン処理方法及びそのドレン処理プログラムに関する。
【背景技術】
【０００２】
燃焼排気の潜熱を熱交換する熱交換器では熱交換によってドレンが発生するが、このドレンは強酸性であるため、中和又は水等で希釈した後、例えば浴槽を通して排出する方法が取られている。
【０００３】
このようなドレン処理について、特許文献１には、不用水を溜める排水タンクと、この排水タンクに希釈水を供給し、不用水を希釈する手段と、浴槽の排水部が解放状態にあることを検出する検出手段と、この検出手段の検出に基づき、排水タンクの不用水を浴槽に排水すること、また、排水タンクの不用水が所定量を越えた場合には不用水の発生を抑制することが開示されている。
【特許文献１】特開平２００５−２６５２２８号公報（要約、図１等）
【発明の開示】
【発明が解決しようとする課題】
【０００４】
ところで、特許文献１の給湯装置では、追焚回路の一部を利用し、浴槽水の排出タイミングに合わせてドレンの浴槽への排出を行っているため、ドレンを排出するタイミングが限られているので、例えば、夏場のように浴槽の使用機会が少なくなり、浴槽水の排出機会が減少すると、ドレンの排出を長時間行えないことになる。
【０００５】
給湯装置の使用回数が多い場合には、その使用状況に応じてドレンが発生するため、ドレンタンクに流れるドレン量が増加し、ドレンタンクから浴槽にドレンを強制排出する回数が多くなる。この場合、浴槽水に中和されたドレンが流れ込むことになる。
【０００６】
発生するドレン量に対応するには、ドレンタンクの容量を増大するか、単純に必要な容量分だけドレンタンクを追加すればよいが、このような対応では、給湯装置内のドレンタンク容量を増加させ、又は、給湯装置外にドレンタンクを設置すると、給湯装置の小型化が妨げられることになる。
【０００７】
そこで、本発明の第１の目的は、燃焼排気の潜熱を熱交換する熱交換器から発生するドレン処理に関し、ドレン処理能力を高め、浴槽へのドレンの排出を抑制することにある。
【０００８】
また、本発明の第２の目的は、燃焼排気の潜熱を熱交換する熱交換器から発生するドレン処理に関し、ドレン処理能力に応じてドレン発生の抑制を実現することにある。
【課題を解決するための手段】
【０００９】
上記目的を達成するため、本発明は、燃焼排気の主として潜熱を回収する熱交換器から発生するドレンを浴槽側に排出する給湯装置に関し、複数のドレンタンクを用いることにより、ドレン処理能力を高め、浴槽へのドレン排出を抑制させ、また、ドレン処理能力が限界に達した場合には、ドレン発生そのものを抑制し、ドレン処理を合理化している。
【００１０】
上記目的を達成するため、本発明の第１の側面は、燃焼排気の潜熱を熱交換する熱交換器を備え、給湯機能と浴槽追焚機能を有する給湯装置であって、前記熱交換により発生したドレンを溜める第１のドレンタンクと、前記第１のドレンタンクから前記ドレンを受けて溜める第２のドレンタンクと、浴槽水のレベルを検出する浴槽レベルセンサと、前記浴槽レベルセンサで検出された前記レベルに基づいて、前記第１のドレンタンク及び／又は前記第２のドレンタンクの前記ドレンを追焚管路の一部又は全部を通して浴槽側に排出させる排出手段とを備える構成である。斯かる構成により、上記の目的が達成される。
【００１１】
この給湯装置において、好ましくは、前記ドレンのレベルを検出するドレンレベルセンサと、前記ドレンレベルセンサで検出された前記レベルに応じて、前記第１のドレンタンクから前記第２のドレンタンクに追焚管路の一部又は全部を通して前記ドレンを移送する移送手段とを備える構成である。斯かる構成により、上記の目的が達成される。
【００１２】
この給湯装置において、好ましくは、前記第１のドレンタンク及び／又は前記第２のドレンタンクの前記ドレンが所定レベルに達した場合に、前記ドレンの発生を抑制するドレン発生抑制手段を備えた構成としてもよい。斯かる構成によっても、上記の目的が達成される。
【００１３】
この給湯装置において、好ましくは、前記第１のドレンタンク内の前記ドレンを希釈水で希釈する希釈手段を備え、前記希釈手段は、前記ドレンの前記レベルに応じて前記ドレンに前記希釈水を供給する構成としてもよい。斯かる構成によっても、上記の目的が達成される。
【００１４】
この給湯装置において、好ましくは、前記第１のドレンタンク及び／又は前記第２のドレンタンクに溜まった前記ドレンが所定レベルに達した場合に、前記浴槽へと前記ドレンを強制排出する構成としてもよい。斯かる構成によっても、上記の目的が達成される。
【００１５】
上記目的を達成するため、本発明の第２の側面は、燃焼排気の潜熱を熱交換する熱交換器を備え、給湯機能と浴槽追焚機能を有する給湯装置のドレン処理方法であって、前記熱交換により発生したドレンを第１のドレンタンクに溜める処理と、前記第１のドレンタンクから前記ドレンを受けて第２のドレンタンクに溜める処理と、浴槽水のレベルを検出する処理と、前記検出レベルに基づいて、前記第１のドレンタンク及び／又は前記第２のドレンタンクの前記ドレンを追焚管路の一部又は全部を通して浴槽側に排出させる処理と、を含む構成である。斯かる構成により、上記の目的が達成される。
【００１６】
この給湯装置のドレン処理方法において、好ましくは、前記ドレンのレベルを検出する処理と、前記検出レベルに応じて、前記第１のドレンタンクから前記第２のドレンタンクに追焚管路の一部又は全部を通して前記ドレンを移送する処理とを含む構成としてもよい。斯かる構成によっても、上記の目的が達成される。
【００１７】
この給湯装置のドレン処理方法において、好ましくは、前記第１のドレンタンク及び／又は前記第２のドレンタンクに溜まった前記ドレンが所定レベルに達した場合には、前記ドレンの発生を抑制する処理を含む構成としてもよい。斯かる構成によっても、上記の目的が達成される。
【００１８】
この給湯装置のドレン処理方法において、好ましくは、前記第１のドレンタンク及び／又は前記第２のドレンタンクの前記ドレンが所定レベルに達した場合には、前記ドレンを強制排出する処理を含む構成としてもよい。斯かる構成によっても、上記の目的が達成される。
【００１９】
上記目的を達成するため、本発明の第３の側面は、コンピュータによって実行され、燃焼排気の潜熱を熱交換する熱交換器を備え、給湯機能と浴槽追焚機能を有する給湯装置のドレン処理プログラムであって、浴槽水の検出レベルを取り込むステップと、前記検出レベルに基づいて、第１のドレンタンク及び／又は第２のドレンタンクのドレンを追焚管路の一部又は全部を通して浴槽側への排出を指示するステップとを含む構成である。斯かる構成により、上記の目的が達成される。
【００２０】
この給湯装置のドレン処理プログラムにおいて、好ましくは、前記第１のドレンタンク及び／又は前記第２のドレンタンクの前記ドレンが所定レベルに達した場合には、前記ドレンを強制排出させる指示をするステップを含む構成としてもよい。斯かる構成によっても、上記の目的が達成される。
【００２１】
上記目的を達成するため、本発明の第４の側面は、燃焼排気の潜熱を熱交換する熱交換器を備え、給湯機能と浴槽追焚機能を有する給湯装置であって、前記熱交換器に供給される水をバイパスさせるバイパス管路と、前記熱交換器と前記バイパス管路とに流れる前記水の流量を調整する流量調整手段とを備え、前記流量調整手段により前記熱交換器に流れる前記水を調整し、前記熱交換器に発生する前記ドレンを抑制させる構成である。斯かる構成により、上記の目的が達成される。
【００２２】
この給湯装置において、好ましくは、前記熱交換により発生したドレンを溜めるドレンタンクと、前記ドレンタンクの前記ドレンのレベルを検出するドレンレベルセンサと、前記ドレンレベルセンサの検出レベルに応じて前記流量調整手段により前記熱交換器に流れる前記水を調整し、前記熱交換器に発生する前記ドレンを抑制させる構成としてもよい。斯かる構成によっても、上記の目的が達成される。
【００２３】
この給湯装置において、好ましくは、前記流量調整手段は、前記バイパス管路と前記熱交換器とに流れる水の流量比を調整する三方弁である構成としてもよい。斯かる構成によっても、上記の目的が達成される。
【発明の効果】
【００２４】
(1) ドレンの処理能力を高めることができ、浴槽へのドレン排出を抑制できる。
【００２５】
(2) ドレンの蓄積量及び排出能力を向上させることができ、ドレン排出の間隔を大きく取ることができる。
【００２６】
(3) ドレンの排出間隔を制御できるので、浴槽に浴槽水を溜めておく場合等、浴槽水の使用目的等に対応してドレン混入を防止できる。
【００２７】
(4) 複数のドレンタンクを設置し、ドレンタンク間でドレンを移送する場合であっても、ドレンタンク毎のレベル検出が不要であり、装備の簡略化が期待できる。
【００２８】
(5) 熱交換によりドレンを発生する熱交換器に対してバイパス管路を併設した構成とすれば、熱交換器とバイパス管路との水の流量を制御できるので、ドレンの発生を抑制できる。
【００２９】
(6) 熱交換器に対する水の供給を遮断しない構成とすれば、熱交換器側での水の沸騰や空焚きを防止することができる。
【００３０】
(7) ドレン処理に必要な装備を複雑化することなく、給湯器の低コスト化、省スペース化を実現することがきる。
【発明を実施するための最良の形態】
【００３１】
〔第１の実施の形態〕
【００３２】
本発明の第１の実施の形態に係る給湯装置について、図１、図２、図３を参照して説明する。図１は、給湯装置を示す図、図２は、第１のドレンタンクから第２のドレンタンクへの移送手段を示す図、図３は、浴槽側への排出手段を示す図である。
【００３３】
この実施の形態の給湯装置２では、熱交換により発生したドレン４を溜める第１のドレンタンク６が筐体５内に設置され、その筐体５外部には、ドレンタンク６に溜まったドレン４を移して溜める第２のドレンタンク８が設置されている。このドレンタンク８は、給湯装置２の筐体５に外部接続口として設置されたコネクタ１７を介して管路により接続され、ドレンタンク６からのドレン４を受け入れ、給湯装置２を通してドレンタンク６のドレン４の排出を行う。このようなコネクタ１７を用いてドレンタンク８を接続する構成とすれば、その接続の可否によりドレンタンク８によるドレン収容容量を任意に設定することも可能である。
【００３４】
給湯装置２には、給湯用の熱交換部である給湯用燃焼室１８、浴槽１０内の浴槽水（ＢＷ）１２の追焚を行う熱交換部である追焚用燃焼室２０、浴槽１０から浴槽水１２を循環させて追焚させる追焚循環路２２が設置されており、給湯用燃焼室１8 には、給湯用の一次熱交換器2 6 とともに二次熱交換器１４が設置されている。追焚用燃焼室２０には、追焚用熱交換器２８が設置されており、これらの熱交換器はそれぞれ単独で、又は双方並行運転が可能である。即ち、給湯用熱交換器側で加熱した湯を追焚用熱交換器側に接続して浴槽１０へと湯張りすることができる。一次熱交換器２６は、給湯用燃焼室１８内の燃焼排気から主として顕熱を回収して熱交換を行い、二次熱交換器１４は、主として潜熱を回収して熱交換を行う。この潜熱回収の際に、排気ガス中の水蒸気が凝縮し、ドレン４となる。この場合、ドレン４はいわゆる不用水であり、水蒸気の凝縮以外のものが含まれてもよい。
【００３５】
この給湯装置２にはドレン４の処理の制御を行う制御装置２４等が備えられ、制御装置２４にはリモコン装置２５が接続されている。リモコン装置２５は、制御装置２４を通して給湯装置２を遠隔操作する手段である。
【００３６】
また、給湯装置２には、給湯用熱交換器側に上水Ｗを供給する給水管路３０が備えられ、その入口に設置された給水口３２から供給された上水Ｗは、流量センサ３４を通り、二次熱交換器１４又はバイパス管路３６側に供給される。このバイパス管路３６は、後述するドレンの発生を抑制するドレン制御処理に用いられ、バイパス管路３６に流入させた上水Ｗは、二次熱交換器１４を通過した上水Ｗと合流して、一次熱交換器２６へと流入する。このバイパス管路３６又は二次熱交換器１４への上水Ｗの分流は、上水Ｗの流量調整手段であるとともにドレン発生抑制手段である流路切替弁３８により、流量比等が調整されている。
【００３７】
また、給水管路３０には、湯の設定温度に対する応答性を高めるため、給水バイパス管路４０及びバイパス水制御弁４２が設置され、給水管路３０に流れる上水Ｗの一部を給湯用の一次熱交換器２６から出てきた湯と合流させる。そして、給湯管路４４への流量を調節する手段として、給湯制御弁４６が設置されている。所望の温度に調節された湯ＨＷは、給湯管路４４を通り、給湯口４８から出湯される。給水管路３０には、上水Ｗの入水温度を検出する温度センサとして、入水温センサ５０、一次熱交換器２６の出口側の出湯温度を検出する温度センサとして、出湯温センサ５２が設置され、また、給湯管路４４には、温度調整された混合湯温を検出する温度センサとして、混合温センサ５４が設置されている。
【００３８】
給湯管路４４には、給湯口４８の手前で分岐されて追焚循環路２２側に湯ＨＷを注湯する注湯管路５６が接続されており、この注湯管路５６には、注湯量の制御を行う注湯電磁弁５８、注湯量を計測する注湯流量センサ６０、注湯管路５６内で湯ＨＷが逆流するのを防止するための逆止弁６２が設置されている。この注湯電磁弁５８及び逆止弁６２は、注湯側と浴槽側とを縁切りする手段である。
【００３９】
追焚循環路２２は、浴槽１０内の浴槽水１２を追焚用燃焼室２０に導き、熱交換させた後、浴槽１０へと流入させる。追焚循環路２２には、浴槽１０と追焚循環路２２とを接続している循環アダプタ６４と、浴槽水１２を追焚循環路２２内に循環させるふろポンプ６６と、追焚循環路２２内の水流の状態を検出するふろ流水スイッチ６８と、追焚循環路２２内を循環する浴槽水１２の入口側の温度を検出するふろ入温度センサ７０と、出口側の温度を検出するふろ出温度センサ７２と、浴槽１０内の排水部７４から排水栓が抜かれて浴槽１０内が排水状態であることを検出する手段として、浴槽水１２の水位レベルを監視する浴槽レベルセンサであるふろ水位センサ７６とが設置されている。
【００４０】
給湯装置２の熱源として、給湯用燃焼室１８側に給湯バーナ７８、追焚用燃焼室２０側に追焚バーナ８０が設置されている。この給湯装置２には、燃料ガスＧがガス管８２を通じ、元ガス電磁弁８４及びガス比例弁８６を介して供給されている。そして、給湯バーナ７８側には、切替電磁弁８８、９０、ガス電磁弁９２が設置され、追焚バーナ８０側には、ガス電磁弁９４が設置されて、燃料ガスＧの切替及び調整を行う構成となっている。また、各燃焼室１８、２０には、燃焼用空気を供給するためのファン９６、９８がそれぞれ設置されている。
【００４１】
次に、二次熱交換器１４で発生したドレン４の回収手段について説明する。給湯用の二次熱交換器１４側には、ドレン４の回収手段として、ドレン受け１００及びドレン管路１０２が設置され、そのドレン管路１０２には、回収したドレン４を中和するための中和器１６とともに、回収したドレン４を溜める第１のドレンタンク６が設置されている。また、給湯装置２の外部には、コネクタ１７を介して第２のドレンタンク８が接続されており、このドレンタンク８は、ドレンタンク６に所定量のドレン４が溜まった場合、そのドレン４を移して、ドレン４の排出タイミングまで溜めておく。
【００４２】
また、ドレンタンク６からドレンタンク８へとドレン４を移送する移送手段について説明する。この移送手段は、追焚循環路２２の一部を利用しており、第１のドレンタンク６から追焚循環路２２へとドレン４を導く第１のドレン移送管路１０８、このドレン移送管路１０８側と追焚循環路２２側とを切替える第１の切替弁１０６、追焚循環路２２から第２のドレンタンク８へとドレン４を導く第２のドレン移送管路１１２、このドレン移送管路１１２側と追焚循環路２２側とを切替える第２の切替弁１１０、ドレン４を移送する動力源であるふろポンプ６６で構成されている。第１の切替弁１０６と第２の切替弁１１０とは、例えば、追焚循環路２２の流れ方向に対して、上流側から第１の切替弁１０６、ふろ流水スイッチ６８、ふろポンプ６６、第２の切替弁１１０となるように接続されている。第１のドレン移送管路１０８には、ドレン４の逆流を防止する逆止弁１１６が設けられている。
【００４３】
また、第１のドレンタンク６及び第２のドレンタンク８から浴槽１０側へとドレン４を排出するドレン排出手段について説明する。このドレン排出手段も追焚循環路２２の一部を利用している。第１のドレンタンク６から追焚循環路２２への排出は、第１のドレン移送管路１０８を利用する。第２のドレンタンク８から追焚循環路２２への排出は、第２のドレン移送管路１１２の一部を利用しており、ドレン移送管路１１２が分岐され、第１のドレン移送管路１０８側にドレン４を導くドレン排出管路１１４が設けられている。このドレン排出管路１１４にもドレン４の逆流を防止する逆止弁１１８が設けられている。
【００４４】
以上の構成より、第１のドレンタンク６から第２のドレンタンク８へのドレン４の移送処理では、第１の切替弁１０６及び第２の切替弁１１０を切替えることにより、ドレン４の移送経路が形成される（図２太線）。また、第１のドレンタンク６及び第２のドレンタンク８からのドレン４の排出処理では、第２の切替弁１１０を切替えることにより、ドレン４を追焚循環路２２を通して浴槽１０へと排出する経路が形成される（図３太線）。
【００４５】
次に、本発明の第１の実施の形態に係る給湯装置のドレン処理方法について、図４を参照して説明する。図４は、給湯装置のドレン処理方法の一例を示すフローチャートである。
【００４６】
このドレン処理方法は、熱交換により発生したドレン４を第１のドレンタンク６に溜める（ステップＳ１）とともに、ドレンタンク６のレベルを監視する（ステップＳ２）。ドレン４の水位がドレンタンク６の所定レベルに達している場合、その溜まったドレン４を第１のドレンタンク６から第２のドレンタンク８へと移送する（ステップＳ３）。同時に、浴槽１０内にある浴槽水１２のレベルを監視して、浴槽１０が排水状態となっているかを監視する（ステップＳ４）。浴槽１０が排水状態である（ステップ４のＹＥＳ）場合には、ドレンタンク６及びドレンタンク８に溜まっているドレン４を浴槽１０を通して排出する（ステップＳ５）。浴槽１０が排水状態でない（ステップ４のＮＯ）場合であって、ドレンタンク６に所定レベルのドレン４が溜まった場合には、ドレン４の発生を抑制するドレン制御処理を行い（ステップＳ６）、その後浴槽１０が排水状態とならず、ドレンタンク６及び／又はドレンタンク８のドレン４が所定の排出レベルに達した場合には、ドレン４を強制排出する処理を行う（ステップＳ７）。
【００４７】
１、第１のドレンタンク６にドレン４を溜める処理（ステップＳ１）
【００４８】
燃焼排気から主として潜熱を回収する二次熱交換器１４等から発生したドレン４を回収し、ドレン４の排出タイミングになるまで、ドレンタンク６にドレン４を溜めておく。
【００４９】
２、第１のドレンタンク６のレベルを監視する処理（ステップＳ２）
【００５０】
第１のドレンタンク６のレベルを監視する処理は、ドレンタンク６内にドレン４が所定のレベルまで溜まったか否かを検出する。そして、その検出結果により、後述するドレンの移送やドレン発生抑制等を行う。
【００５１】
３、第１のドレンタンク６から第２のドレンタンク８へとドレン４を移送する処理（ステップＳ３）
【００５２】
前記のレベル監視の結果から、第１のドレンタンク６内にドレン４が所定値以上溜まったと判断できる場合には、そのドレン４を第１のドレンタンク６から第２のドレンタンク８へと移送する。第２のドレンタンク８は、ドレン４を一時的に保管する等の役割を果たす。
【００５３】
４、浴槽１０が排水状態となったか否かの判断（ステップＳ４）
【００５４】
この処理では、浴槽１０が排水状態となったか否かを判断する。この判断では、浴槽水１２のレベル監視を行い、浴槽１０の水位が所定値以下となった場合には、浴槽１０が排水状態であると判断し、ドレン４の排出処理へと移行する。
【００５５】
なお、浴槽水１２のレベル監視は、浴槽１０へのドレン４の排出タイミングを図るものであり、ステップＳ４でのみで行うのではなく、常時行われている。
【００５６】
５、ドレンの排出処理（ステップＳ５）
【００５７】
浴槽１０が排水状態であると判断された場合には、第１のドレンタンク６や第２のドレンタンク８に溜められているドレン４の排出を行う。
【００５８】
６、ドレン制御処理（ステップＳ６）
【００５９】
ドレン制御処理では、ドレン４が発生する二次熱交換器１４側に流す上水Ｗの流量を減少させて、ドレン４の発生量を抑制し、第１のドレンタンク６及び第２のドレンタンク８からドレン４が溢れるのを防止する。
【００６０】
７、ドレンの強制排出処理（ステップＳ７）
【００６１】
浴槽１０が排水状態にならず、また、上記のドレン制御処理（ステップＳ６）を行っても、ドレン４の水位が所定値に達した場合には、浴槽１０側の状態に関わらず、ドレン４の排出処理を行い、第１のドレンタンク６及び第２のドレンタンク８が溢れるのを防止する。
【００６２】
次に、ドレンタンクの構成について、図５、図６及び図７を参照して説明する。図５は、第１のドレンタンクを示す図、図６は、ドレンタンクの排出口に設けられたガイドを示す図、図７は、第２のドレンタンクを示す図である。図５、図７において、図２と同一の部分には、同一の番号を付してある。
【００６３】
第１のドレンタンク６には、図５に示すように、ドレン４の水位レベルの検出するドレンレベルセンサとして、ドレンタンク本体１２０の天井側から底側に向かって長さの異なる４本の電極が設置されている。最も長い電極（Ｃ）１２２はベース電極であり、順に、排出終了水位を検出する水位センサ（Ｌ）１２４、ドレン４の抑制水位を検出する水位センサ（Ｂ）１２６、強制排出水位を検出する水位センサ（Ｈ）１２８が設置されている。第１のドレンタンク６の側面には、最も短い水位センサ（Ｈ）１２８の先端部よりも高い位置に、ドレン４の流入口１３０とともに、オーバーフロー用排出口１３２が設けられている。
【００６４】
第１のドレンタンク６の底部には、エア噛み防止機構として、ガイド１３４及び閉止フロート１３６が設置されている。ガイド１３４の空洞部内に、例えば発砲スチロール製、あるいは樹脂製の球状の閉止フロート１３６が入れられ、ドレンタンク６の排出口１０４を塞ぐように構成されている。閉止フロート１３６はドレン４の水面上に浮き、ドレンタンク６に溜まるドレン４の水位に応じてガイド１３４の内部を上下する。ドレンタンク６の排出口１０４には、閉止フロート１３６によって密閉するように、その縁を例えば、テーパー状にした閉止部１３８が形成されている。
【００６５】
ガイド１３４は、図６に示すように、円筒形状であり、ドレンタンク６の底部に一体成形され、もしくは円筒の底部１４０側を溶着して固定される。また、ガイド１３４には、排出時にドレン４の流れを妨げないように、単数又は複数の切り込み１４２が施されている。
【００６６】
上記の構成により、中和器１６で中和されたドレン４は、第１のドレンタンク６に溜められ、その水位に応じて、ドレンタンク６内の閉止フロート１３６が上昇する。ドレン排水タイミングやドレンの強制排出水位（Ｈ）に達すると、ドレンの排出処理が行われ、その処理にともなって、ドレンタンク６内のドレン４の水位が下がり、それに応じて閉止フロート１３６も下降していく。そして、ドレン４の排出を行うふろポンプ６６の吸い込み圧により、閉止部１３８に閉止フロート１３６が接触して、排出口１０４を密閉する。これにより、第１のドレン移送管路１０８に空気の混入が防止でき、空気の流入によるふろポンプ６６の空回りを防止できる。
【００６７】
第２のドレンタンク８には、図７に示すように、ドレンタンク本体部１４４の底部にドレン４の吸い込み及び排出を行う吸い込み・吐き出し口１４が設置されている。ドレンタンク８の内部には、既述した第１のドレンタンク６と同様な構造のガイド１４８及び閉止フロート１５０が備えられている。また、ドレンタンク本体部１４４の側面部には、オーバーフロー用排出口１５２を備えている。この第２のドレンタンク８には、水位レベルを検出するための検出手段を備えていない。第１のドレンタンク６から移送されるドレン４の移送量が一定であるので、移送回数等から第２のドレンタンク８のドレン４の量を算出できるように構成している。
【００６８】
次に、給湯装置２の制御装置２４について、図８を参照して説明する。図８は、給湯装置の制御装置を示す図である。図８において、図１と同一部分には、同一の番号を付してある。
【００６９】
給湯装置２に設けられた制御装置２４は、上記各部の弁の動作や温度センサ等からの検出結果に応じた処理の他、後述するドレンの排出制御、ドレンの発生制御等を行うために給湯装置２の各部への動作指示を行う。
【００７０】
制御装置２４には、マイクロコンピュータ等で構成される制御部１５３が設置されている。この制御部１５３は、例えば、各種演算を行うＣＰＵ（Central Processing Unit ）１５４や記憶部１５５、タイマ１５６等で構成されている。記憶部１５５は、ＲＯＭ、ＲＡＭの他、不揮発性メモリであるＥＥＰＲＯＭ等で構成され、各種動作プログラムや後述するドレンの排出、ドレン抑制制御に関するプログラムやその判断基準値である設定値及び各種データ等の記憶領域として用いられる他、制御の作業領域として用いられる。また、タイマ１５６は、プログラムの実行動作や各種制御についての時間的条件の計測等を行う。制御部１５３には、水位センサ（Ｌ）１２４、水位センサ（Ｈ）１２８、水位センサ（Ｂ）１２６、ふろ水位センサ７６、ふろ流水スイッチ６８、その他のセンサとして、ふろ入温度センサ７０やふろ出温度センサ７２等から検出信号が加えられ、制御部１５３の制御出力が第１の切替弁１０６、第２の切替弁１１０、流路切替弁３８、ふろポンプ６６、その他の機能部品として、ガス比例弁８６、切替電磁弁８８、９０、ガス電磁弁９２、９４等に伝えられる。
【００７１】
また、制御部１５３には既述のリモコン装置２５が接続されている。このリモコン装置２５は、制御部１５８、外部からの設定操作等を行うキースイッチを含む操作部１６０、表示部１６２、警報部１６４、図示しないその他の表示部１６６等から構成され、例えば、表示部１６２及び警報部１６４により、ドレン４を排水中である旨や後述する強制排出を行う旨を視覚的、聴覚的に報知する。
【００７２】
次に、給湯装置２の動作について、図９を参照して説明する。図９は、給湯装置の動作を示すフローチャートである。
【００７３】
電源を投入すると、機種設定の読込み、イニシャルテスト等のイニシャライズ処理を実行（ステップＳ１１）した後、各種センサの検出値、リモコン装置２５等からの外部指示等の読込みを行う（ステップＳ１２）。
【００７４】
次に、浴槽水１２の排水監視を行う（ステップＳ１３）。この排水監視は、ふろ水位センサ７６等により、浴槽１０内の水位を監視する。そして、その水位監視の結果に応じて、第１のドレンタンク６のドレン４の排出処理制御（ステップＳ１４）及び第２のドレンタンク８のドレン４の排出処理制御（ステップＳ１５）を実行する。ドレン４の排出処理制御（ステップＳ１４、Ｓ１５）の後、給湯動作を実行するか否かの判断を行う（ステップＳ１６）。給湯動作の実行か否かは、例えば、給湯栓の開栓状態等により判断される。
【００７５】
給湯動作が実行された場合（ステップＳ１６のＹＥＳ）には、給水量や設定温度等を制御する給湯動作制御を実行する（ステップＳ１７）。給湯動作制御を行った後、又は給湯動作が実行されなかった場合（ステップＳ１６のＮＯ）、自動湯張りの実行か否かの判断に移行する（ステップＳ１８）。自動湯張りの実行か否かは、例えば、リモコン装置２５の自動スイッチの投入がされたか否かにより判断される。自動湯張りが実行された場合（ステップＳ１８のＹＥＳ）には、自動湯張り制御に移行する（ステップＳ１９）。
【００７６】
自動湯張り制御の後、又は、自動湯張りが実行されなかった場合（ステップＳ１８のＮＯ）には、追焚実行か否かの判断に移行する（ステップＳ２０）。追焚実行か否かは、リモコン装置２５等の追焚スイッチが押されたか否かにより判断される。追焚が実行される場合（ステップＳ２０のＹＥＳ）には、ふろポンプ６６の動作や追焚バーナ８０等を制御する追焚制御に移行する（ステップＳ２１）。追焚制御を行った後、又は追焚が実行されなかった場合（ステップＳ２０のＮＯ）には、その他の動作を実行するか否かの判断に移行する（ステップＳ２２）。その他の動作は、例えば、足し湯スイッチを押した場合等に実行される。そして、その他の動作制御を実行し（ステップＳ２３）又は、その他の動作が実行されない場合（ステップＳ２２のＮＯ）には、ステップＳ１２に戻り、以上の処理動作を繰り返し行う。
【００７７】
次に、中和器を使用する場合のドレンの排出処理について、図１０を参照して説明する。図１０は、ドレン排出処理の手順を示すフローチャートである。
【００７８】
まず、ドレンの排出処理の概要について説明する。ドレン４の排出処理は、浴槽１０内の状態若しくは第１のドレンタンク６内の状態に応じて、内容が異なる。
【００７９】
（１）浴槽１０が排水状態となっている場合の処理
【００８０】
ふろ水位センサ７６により浴槽１０内の水位検出を行う。その結果、浴槽水１２が所定水位以下となっている場合は、浴槽１０から浴槽水１２が抜かれて、排水タイミングになっていると制御部１５３が判断する。浴槽１０が排水タイミングとなっている場合には、ドレン４の排出処理に移行する。第１の切替弁１０６を切替えるとともに、ふろポンプ６６を動作させて、第１のドレンタンク６及び第２のドレンタンク８のドレン４を追焚循環路２２を通して浴槽１０へと流し、排水部７４から排出させる。
【００８１】
（２）ドレンタンク６のドレン４が所定レベル以上であって、浴槽１０が排水状態となっていない場合の処理
【００８２】
第１のドレンタンク６のドレン４が所定レベル以上の場合であって、浴槽１０内に浴槽水１２が有り、排水タイミングとなっていない場合には、ドレン４の移送処理等のドレン排出制御を行う。制御部１５３は、第１の切替弁１０６及び第２の切替弁１１０を第２のドレンタンク８側へと切替えるとともに、ふろポンプ６６を動作させて、第１のドレンタンク６に溜まったドレン４を第２のドレンタンク８へと移送する（図２）。そして、第１のドレンタンク６内にドレン４が無くなった場合や、既述のように、閉止フロート１３６によりドレン４の排出を停止させた場合には、再び第１のドレンタンク６でドレン４の回収処理を行う。このようなドレン４の回収と第２のドレンタンク８への移送を繰り返し行う。
【００８３】
そして、第２のドレンタンク８の所定レベルまでドレン４が溜まり、第１のドレンタンク６にも所定レベルまでドレン４が溜まった場合には、ドレン４の発生を抑制するドレン制御処理を行い、それでも浴槽１０が排水タイミングとならない場合には、浴槽１０の状態に拘らず、浴槽１０側への強制排出処理を行う。
【００８４】
なお、既述のように、第２のドレンタンク８には、ドレン４の貯留量等を判断するためのセンサ等を設けていないが、第１のドレンタンク６から排出されてくるドレン４の量から、制御部１５３では、第２のドレンタンク８の容量及び上記の移送回数から第２のドレンタンク８に溜まったドレン４の量や移送可能な回数等を算出する構成である。また、図示していないが、制御装置２４に第２のドレンタンク８への移送回数の設定に関する切替スイッチ等を設けて、設置する第２のドレンタンク８の容量を変更可能にするようにしてもよい。
【００８５】
第１のドレンタンク６、第２のドレンタンク８からのドレン４の排出は、例えば、追焚循環路２２に設置されているふろ流水スイッチ６８がＯＦＦとなることで、完了する。また、第１のドレンタンク６の容量及び第２のドレンタンク８への移送回数等からドレン４の排出量が解るので、ふろポンプ６６の排出量（圧送能力）から排出完了時間を算出して、その算出した時間分だけ、ふろポンプ６６を動作させるようにしてもよい。
【００８６】
以上の処理手順は、図１０に示すように、ふろ水位センサ７６のレベル検出の結果から、浴槽１０が排水タイミングとなっているか否かが判断され（ステップＳ４１）、排水タイミングであれば（ステップＳ４１のＹＥＳ）、第１のドレンタンク６、第２のドレンタンク８のドレン４のレベルに関係なく、ドレン４の排出処理に移行する。第１の切替弁１０６を浴槽１０側から第２のドレンタンク８側に切替え（ステップＳ４２）（図３）、ふろポンプ６６をＯＮにする（ステップＳ４３）。そして、追焚循環路２２を通して、浴槽１０へと排出させる。
【００８７】
ドレン４の排出を開始したら、ふろ流水スイッチ６８がＯＦＦとなっているか否かの判断を行い（ステップＳ４４）、追焚循環路２２内の流水状態を監視する。即ち、第１のドレンタンク６、第２のドレンタンク８からドレン４が排出されると、排出口１０４、吸い込み・吐き出し口１４６を閉止フロート１３６、１５０が塞ぎ、ドレン４の流れが止まり、ふろ流水スイッチ６８がＯＦＦとなる。ふろ流水スイッチ６８がＯＦＦである（ステップＳ４４のＹＥＳ）場合、ふろポンプ６６をＯＦＦにする（ステップＳ４５）。また、ふろ流水スイッチ６８がＯＦＦでない場合（ステップＳ４４のＮＯ）には、制御部１５３のタイマ１５６により、ふろポンプ６６の運転が所定時間Ｔ１（例えば、３分間）が経過したか否かの判断を行う（ステップＳ４６）。所定時間Ｔ１が経過していない場合（ステップＳ４６のＮＯ）には、ステップＳ４４に戻る。所定時間Ｔ１が経過している場合（ステップＳ４６のＹＥＳ）には、ふろポンプ６６をＯＦＦにし（ステップＳ４５）、第１の切替弁１０６を第２のドレンタンク８側から浴槽１０側へと切替えて（ステップＳ４７）、排水処理が完了する。
【００８８】
また、排水タイミングでない場合（ステップＳ４１のＮＯ）には、第１のドレンタンク６内のドレン４が強制排出水位（Ｈ）以上であるか否かを判断する（ステップＳ４８）。強制排出水位（Ｈ）に達していない（ステップＳ４８のＮＯ）場合には、ステップＳ４１に戻る。強制排出水位（Ｈ）以上の場合（ステップＳ４８のＹＥＳ）には、第１のドレンタンク６から第２のドレンタンク８へとドレン４を移す移送処理を行う。
【００８９】
ドレン４の移送処理として、まず、給湯器２が追焚中か否かを判断する（ステップＳ４９）。追焚中である場合（ステップＳ４９のＹＥＳ）は、追焚が終了するまで待機し、追焚中でない場合（ステップＳ４９のＮＯ）、第１の切替弁１０６及び第２の切替弁１１０を浴槽側から第２のドレンタンク側へと切替え（ステップＳ５０、ステップＳ５１）、ふろポンプ６６をＯＮにし（ステップＳ５２）、追焚循環路２２を通してドレン４の移送を行う。
【００９０】
次に、第１のドレンタンク６内のドレン４が排出終了水位を示す水位センサ（Ｌ）１２４以下となったか否かの判断を行う（ステップＳ５３）。水位センサ（Ｌ）１２４以下でない場合（ステップＳ５３のＮＯ）には、ふろポンプ６６の運転が所定時間Ｔ２（例えば、２分間）以上経過したかの判断を行う（ステップＳ５４）。水位センサ（Ｌ）１２４以下（ステップＳ５３のＹＥＳ）となったら、ふろポンプ６６をＯＦＦにし（ステップＳ５５）、第１の切替弁１０６とともに、第２の切替弁１１０を第２のドレンタンク８側から浴槽１０側へと切替える（ステップＳ５６、ステップＳ５７）。ふろポンプ６６の運転が所定時間Ｔ２以上経過しても、第１のドレンタンク６の水位が水位センサ（Ｌ）１２４以下とならない場合（ステップＳ５４のＹＥＳ）は、ふろポンプ６６をＯＦＦにし、リモコン装置２５の表示部１６２やその他の表示部１６６にポンプエラーである旨を表示する。
【００９１】
以上のドレン移送処理は、設定された所定回数（Ｎ）（例えば、５回）に達するまで繰り返し行われる（ステップＳ５８のＮＯ）。この所定回数（Ｎ）は、第２のドレンタンク８の容量及び第１のドレンタンク６の容量等から決定する。所定回数（Ｎ）に達した場合（ステップＳ５８のＹＥＳ）には、ドレン４の発生を抑制するドレン制御処理に移行する。
【００９２】
まず、第１のドレンタンク６内のドレン４の水位がドレン抑制水位を示す水位センサ（Ｂ）１２６に達しているか否かの判断を行う（ステップＳ５９）。ドレン４の水位が、水位センサ（Ｂ）１２６に達していない場合（ステップＳ５９のＮＯ）には、水位センサ（Ｂ）に達するまで待機し、達している場合（ステップＳ５９のＹＥＳ）には、流路切替弁３８を切替え、二次熱交換器１４への通水量を減らして、ドレン４の発生を抑制するドレン制御処理（ステップＳ６０）を行う。
【００９３】
ドレン制御処理として、第１のドレンタンク６内のドレン４が、強制排出水位を示す水位センサ（Ｈ）１２８に達するまで行い（ステップＳ６１のＮＯ）、水位センサ（Ｈ）１２８に達したら（ステップＳ６１のＹＥＳ）、流路切替弁３８を切替えて、ドレン制御処理を解除する（ステップＳ６２）。以上の処理により、第１のドレンタンク６及び第２のドレンタンク８が所定量となった場合には、ドレン４の排出処理であるステップＳ４２の処理に移り、浴槽１０の状態に拘らず強制排出処理に移行する。強制排出処理として、使用者に対し、例えば、リモコン装置２５の表示部１６２、警報部１６４、その他の表示部１６６等により、注意を促すようにしてもよい。
【００９４】
浴槽１０の排水タイミングは常時監視しており、上記のステップＳ４８以降のドレン排出処理は、浴槽１０が排水状態にならない場合の処理である。従って、ステップＳ４８以降に浴槽１０の排水部７４にある排水栓が抜かれることにより、排水状態となれば、ステップＳ４２に戻り、ドレン４の排出処理に移行する。
【００９５】
次に、ドレン４の排出を抑制するドレン制御処理方法について、図１１、図１２及び図１３を参照して説明する。図１１は、ドレン制御処理の構成例を示す図、図１２は、通常時の流路切替弁の断面図、図１３は、ドレン制御処理時の流路切替弁の断面図である。図１１、１２、１３において、図１と同一部分、同一構成については、同一符号を付し、説明を省略する。
【００９６】
ドレン制御処理は、ドレン４をドレンタンク６からドレンタンク８へと所定回数（Ｎ）の移送処理をした後、ドレン４がドレンタンク６の水位センサ（Ｂ）１２６のレベルに達した場合に実行され、二次熱交換器１４に流れる水量を調整し、ドレン４の発生量を抑制する処理を含む。図１１に示すように、二次熱交換器１４の熱交換管に対して並列にバイパス管路３６が接続されているとともに、例えば、三方弁で構成される流路切換弁３８を介して給水管路３０が接続されている。流路切替弁３８は、上水Ｗの流量調整手段であるとともにドレン発生抑制手段を構成しており、これを切替え、流量配分を調整し、給水管路３０から流入された上水Ｗを、二次熱交換器１４側を示すａ方向、一次熱交換器２６側（バイパス管路３６側）を示すｂ方向に所定の割合で流す。ａ方向に流れる上水Ｗの量を減らし、ｂ方向に多く流すようにすれば、ドレン４の発生が抑制される。
【００９７】
ここでは、ドレン制御処理に移行前の状態を通常時とする（図１２）。通常時には、二次熱交換器１４側に流す上水Ｗの量を多くし、バイパス管路３６側に流す上水Ｗの量を少なくする。例えば、通常時には二次熱交換器１４側とバイパス管路３６側との流量を９対１の割合で流すのに対し、ドレン制御処理時は、１対９にして二次熱交換器１４側への流量を抑制する。この流量の割合は、予め実験等により決定してもよい。
【００９８】
流路切替弁３８は、例えば、三方弁等で構成されている（図１２、図１３）。両図は、共に流路切替弁３８の平面図を（Ａ）とし、正面図を（Ｂ）としている。図の左側の接続口１６８をバイパス管路３６への流路、右側の接続口１７０を二次熱交換器１４への流路を示している。流路切替弁３８の内部のボール１７２には、バイパス管路３６と二次熱交換器１４とに流入させる上水Ｗの流量を所定の比率に分配させる断面積が大きい流路１７４、断面積が小さい流路１７６が形成されている。
【００９９】
このような構成により、通常時には、二次熱交換器１４側に多くの上水Ｗを流すように流路切替弁３８を設定し、ドレン制御処理時には、流路切替弁３８を切替えて、バイパス管路３６側に多くの上水Ｗを流して、ドレン４の発生量を抑制させる。また、二次熱交換器１４に対する水を遮断しないので、二次熱交換器１４内の水の沸騰や空焚きを防止できる。
【０１００】
〔第２の実施の形態〕
【０１０１】
次に、本発明の第２の実施の形態に係る給湯装置について、図１４、図１５、図１６を参照して説明する。図１４は、第２の実施の形態に係る給湯装置を示す図、図１５は、第１のドレンタンクを示す図、図１６は、給湯装置のドレン排出処理のフローチャートである。なお、図１４、図１５において、図１、図５、図７と同一部分には、同一符号を付すとともに、説明を省略する。
【０１０２】
この実施の形態の給湯装置２は、回収したドレン４を中和するための中和器１６を設けず、第１のドレンタンク６に給水をして、溜まっているドレン４の希釈処理を行う。
【０１０３】
ドレン４の希釈手段として、図１４に示すように、給水管路３０と第１のドレンタンク６とを希釈管路２００で接続し、その希釈管路２００には、第１のドレンタンク６へと流す希釈水の流量を調整するための補給水弁２０２が設置されている。
【０１０４】
また、図１５に示すように、第１のドレンタンク６には、ドレン４の排出終了水位（Ｌ）を検知する水位センサ（Ｌ）２０４、ドレン４の発生を抑制するドレン制御処理を開始する水位（Ｂ）を検出する水位センサ（Ｂ）２０６、ドレンの希釈処理を開始する水位（Ｗ）を検出する水位センサ（Ｗ）２０８、ドレンの強制排出開始の水位Ｈを検出する水位センサ（Ｈ）２１０が設置されている。これらのセンサは、異なる高さに配置されて、ドレン４が対応するレベルに達したことを検出するセンサである。
【０１０５】
二次熱交換器１４で発生したドレン４を、ドレン受け１００から第１のドレンタンク６に溜める。浴槽１０側が排水状態とならず、第１のドレンタンク６及び第２のドレンタンク８に所定量のドレン４が溜まったら、第１の切替弁１０６を切替えるとともに、ふろポンプ６６を動作させて、浴槽１０へと排出する。第１のドレンタンク６及び第２のドレンタンク８の水位が排出所定値以下（例えば、レベル０）となったことの判断は、追焚循環路２２に設置したふろ流水スイッチ６８がＯＦＦになったことで確認する。
【０１０６】
第１のドレンタンク６内のドレン４の希釈処理は、第１のドレンタンク６から浴槽１０への排出前や第２のドレンタンク８への移送前に行う。浴槽１０側が排水タイミングである場合は、第１のドレンタンク６に溜まっているドレン４のレベルに関係なくドレン４の希釈処理を行う。第１のドレンタンク６内の水位が水位センサ（Ｈ）２１０に達するまで注水した後、浴槽１０側へとドレン４を排出する。また、浴槽１０側が排水タイミングとなっていない場合には、第１のドレンタンク６内の水位が希釈注水水位（Ｗ）を示す水位センサ（Ｗ）２０８に達したら注水を開始し、強制排出水位（Ｈ）に達するまで希釈処理を行った後、第２のドレンタンク８への移送処理や浴槽１０側への強制排出処理を行う。
【０１０７】
以上の処理をフローチャートを用いて説明する（図１６）。浴槽１０側が排水タイミングである場合（ステップＳ７１のＹＥＳ）には、ドレン４の希釈処理に移行する。補給水弁２０２を開き（ステップＳ７２）、第１のドレンタンク６内のドレン４が、水位センサ（Ｈ）２１０の水位に達するまで待機し（ステップＳ７３のＮＯ）、水位（Ｈ）に達したら（ステップＳ７３のＹＥＳ）補給水弁２０２を閉め（ステップＳ７４）、排出処理に移行する。
【０１０８】
ドレン４の排出処理手順（ステップＳ７５〜ステップＳ８０）については、第１の実施の形態（ステップＳ４２〜ステップＳ４７）と同様であるので、説明を省略する。
【０１０９】
また、浴槽１０側が排水状態でない場合（ステップＳ７１のＮＯ）には、第１のドレンタンク６内のドレン４の水位が、希釈注水水位（Ｗ）に達しているかの判断を行い（ステップＳ８１）、水位（Ｗ）に達していない場合（ステップＳ８１のＮＯ）には、ステップＳ７１に戻り、水位（Ｗ）に達している場合（ステップＳ８１のＹＥＳ）には、ドレン４の希釈処理に移行する（ステップＳ８２〜ステップＳ８４）。ドレンの希釈処理は、既述のステップＳ７２〜ステップＳ７４と同様であるので、省略する。
【０１１０】
ドレン４の希釈処理が終了したら、第２のドレンタンク８への移送処理を行うために、追焚循環路２２等が追焚処理を行っているか否かを判断し（ステップＳ８５）、追焚処理を行っている場合には、終了するまで待機し（ステップＳ８５のＹＥＳ）、追焚を行っていない場合や追焚が終了した場合（ステップＳ８５のＮＯ）には、ドレン４の移送処理に移行する（ステップＳ８６〜ステップＳ９３）。ドレンの移送処理は、第１の実施形態のステップＳ５０〜ステップＳ５７と同様であるので、説明を省略する。
【０１１１】
ドレンの移送処理が所定回数（Ｎ）（例えば、５回）行われ（ステップＳ９４のＹＥＳ）、第１のドレンタンク６の水位が水位（Ｂ）に達した場合（ステップＳ９５のＹＥＳ）、ドレン制御処理に移行する（ステップＳ９６）。そして、第１のドレンタンク６内のドレン４が水位Ｗに達した場合には（ステップＳ９７のＹＥＳ）、ステップＳ８２〜ステップＳ８４と同様に、ドレンの希釈処理に移行する（ステップＳ９８〜ステップＳ１００）。
【０１１２】
ドレン４の希釈処理が終了したら、ドレン制御処理を解除する（ステップＳ１０１）。ドレン制御処理を解除しても浴槽１０側が排水状態とならなければ、強制排出処理として、ステップＳ７５に移行する。
【０１１３】
〔第３の実施の形態〕
【０１１４】
次に、本願発明の第３の実施の形態に係る給湯装置について、図１７を参照して説明する。図１７は、第３の実施の形態に係る給湯装置を示す図である。図１７において、図１と同一部分には同一の符号を付し、説明を省略する。
【０１１５】
この第３の実施の形態では、第２のドレンタンク８が給湯装置２の筐体５内部に設置される。また、追焚循環路２２と第２のドレンタンク８とを繋ぐ第２のドレン移送管路１１２を分岐させ、サブドレンタンク接続口２１２を給湯装置２の筐体５外部に設け、ドレンタンクを追加可能にしている。
【０１１６】
斯かる構成により、給湯装置２の設置条件等に応じて、ドレンタンクを追加することができ、第１のドレンタンク６に溜まったドレン４を第２のドレンタンク８だけでなく、追加したドレンタンクに移送して溜めるとともに、既述のドレン制御処理を行うことで、浴槽側への排出間隔を制御することが可能となる。また、浴槽１０への強制排出を回避することが可能となる。
【０１１７】
なお、この実施の形態について、図１６では、中和器１６を使用する場合を表しているが、これに限られず、希釈処理を行う構成としてもよい。
【０１１８】
〔その他の実施の形態〕
【０１１９】
(1) 上記の実施の形態では、第１のドレンタンク６に溜まったドレン４をふろポンプ６６を利用して第２のドレンタンク８に移送しているが、第２のドレンタンク８が第１のドレンタンク６よりも下方に設置する場合には、第１のドレンタンク６と第２のドレンタンク８とをドレン移送管路１０８、１１２で直接接続し、その管路上に電磁弁を設ける構成として、落差を利用して第１のドレンタンク６から第２のドレンタンク８へと移送するようにしてもよい。
【０１２０】
(2) 上記の実施の形態におけるドレン制御処理では、二次熱交換器１４とバイパス管路３６との流量の割合が流路切替弁３８の流路断面積等によって予め設定されているが、バイパス管路３６上にバイパス弁を設けて、二次熱交換器１４側に流れる上水Ｗの流量を調整する構成としてもよい。入水温度が低いほどドレン４が発生しやすいことから、斯かる構成により、例えば、入水温センサ５０で入水温を測定し、その測定温度に応じてバイパス弁の開度を調整し、二次熱交換器１４側に流れる上水Ｗの流量を調整して、ドレン４の発生量を抑制するようにしてもよい。
【０１２１】
(3) 上記の実施の形態において、ドレン４の希釈処理は、ドレンタンク６の排水処理時、若しくは、第１のドレンタンク６の水位が水位センサ（Ｗ）２０８に達した場合に、上水Ｗを第１のドレンタンク６に導いて行っているが、第１のドレンタンク６にドレン４が溜まる前、例えば、第２のドレンタンク８へと移送処理を行った直後のタイミングや第１のドレンタンク６にドレン４が所定の限界量まで溜まる前に、予め上水Ｗを溜めておくようにしてもよい。この場合、上記の水位センサ（Ｌ）２０４、水位センサ（Ｂ）２０６、水位センサ（Ｗ）２０８、水位センサ（Ｈ）２１０の検出位置を、予め溜めておく上水Ｗの量に応じて調整するようにしてもよい。
【０１２２】
(4) 上記の実施の形態において、浴槽１０内のレベルを検出する浴槽レベルセンサと第１のドレンタンク６内のドレンレベルを検出するドレンレベルセンサとを別個に記載しているが、これに限られず、共通のレベルセンサを用いるような構成としてもよい。
【０１２３】
(5) 上記の実施の形態において、ドレンタンクに、図示しない暖房回路に設置された暖房用オーバーフロータンク等を連結し、暖房用のオーバーフロー水が導かれるように構成してもよい。
【０１２４】
以上述べたように、本発明の最も好ましい実施の形態等について説明したが、本発明は、上記記載に限定されるものではなく、請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【０１２５】
本発明は、燃焼排気の主として潜熱を回収する熱交換器から発生するドレンを浴槽側に排出する給湯装置に関し、複数のドレンタンクを用いることにより、ドレン処理能力を高め、浴槽へのドレン排出を抑制させ、また、ドレン処理能力が限界に達した場合には、ドレン発生そのものを抑制し、ドレン処理の合理化を図ることができ、有用である。
【図面の簡単な説明】
【０１２６】
【図１】第１の実施の形態に係る給湯装置を示す図である。
【図２】第１のドレンタンクから第２のドレンタンクへの移送手段を示す図である。
【図３】浴槽側への排出手段を示す図である。
【図４】第１の実施の形態に係る給湯装置のドレン処理方法の一例を示すフローチャートである。
【図５】第１のドレンタンクを示す図である。
【図６】ドレンタンクの排出口に設けられたガイドを示す図である。
【図７】第２のドレンタンクを示す図である。
【図８】給湯装置の制御装置を示す図である。
【図９】給湯装置の動作を示すフローチャートである。
【図１０】ドレン排出処理の手順を示すフローチャートである。
【図１１】ドレン制御処理の構成例を示す図である。
【図１２】通常時の流路切替弁の断面図である。
【図１３】ドレン抑制時の流路切替弁の断面図である。
【図１４】第２の実施の形態に係る給湯装置を示す図である。
【図１５】第１のドレンタンクを示す図である。
【図１６】給湯装置のドレン排出処理のフローチャートである。
【図１７】第３の実施の形態に係る給湯装置示す図である。
【符号の説明】
【０１２７】
２  給湯装置
６  第１のドレンタンク
８  第２のドレンタンク
１０  浴槽
１６  中和器
２２  追焚循環路
３０  給水管路
３６  バイパス管路
３８  流路切替弁
６６  ふろポンプ
６８  ふろ流水スイッチ
７６  ふろ水位センサ
１０６  第１の切替弁
１０８  第１のドレン移送管路
１１０  第２の切替弁
１１２  第２のドレン移送管路
１２４  水位センサ（Ｌ）（第１の実施の形態）
１２６  水位センサ（Ｂ）（第１の実施の形態）
１２８  水位センサ（Ｈ）（第１の実施の形態）
２００  希釈管路
２０２  補給水弁
２０４  水位センサ（Ｌ）（第２の実施の形態）
２０６  水位センサ（Ｂ）（第２の実施の形態）
２０８  水位センサ（Ｗ）（第２の実施の形態）
２１０  水位センサ（Ｈ）（第２の実施の形態）
【図１】
2008128531.tif 000003
【図２】
2008128531.tif 000004
【図３】
2008128531.tif 000005
【図４】
2008128531.tif 000006
【図５】
2008128531.tif 000007
【図６】
2008128531.tif 000008
【図７】
2008128531.tif 000009
【図８】
2008128531.tif 000010
【図９】
2008128531.tif 000011
【図１０】
2008128531.tif 000012
【図１１】
2008128531.tif 000013
【図１２】
2008128531.tif 000014
【図１３】
2008128531.tif 000015
【図１４】
2008128531.tif 000016
【図１５】
2008128531.tif 000017
【図１６】
2008128531.tif 000018
【図１７】
2008128531.tif 000019